(57)【要約】【課題】快適な座り心地を実現しながら、肘フレーム１の間隔が広がりと位置の低下を防止する。【解決手段】折り畳み椅子は、左右の肘フレーム１の内側に、座面シート２を連結している左右のシートフレーム４が配置され、肘フレーム１の前後の端部には脚フレーム５が連結され、脚フレーム５は、折畳ピンＳ１を介してＸ字状に連結している２本の脚ロッド５Ａを備え、肘フレーム１には、脚ロッド５Ａを特定の傾斜角（α）に停止するストッパ６を設けている。【選択図】図１３
2018201831.tif 000002
【特許請求の範囲】
【請求項１】
左右の肘フレームと、
前記肘フレーム内側に連結されて、座面シートの両側を連結してなる左右のシートフレームと、
前記肘フレームの前後の端部に上端を連結してなる一対の脚フレームとを備える折り畳み椅子であって、
前記脚フレームは、折り畳み自在に中間を折畳ピンを介してＸ字状に連結してなる２本の脚ロッドを有し、
前記肘フレームは、前記脚ロッドを特定の傾斜角（α）に停止するストッパを有し、
前記ストッパが前記脚ロッドの上面を押圧して前記脚ロッドを特定の傾斜角（α）から倒れ方向の傾動を阻止するようにしてなることを特徴とする折り畳み椅子。
【請求項２】
一対の肘フレームと、
前記肘フレーム内側に連結されて、座面シートの両側を連結してなる一対のシートフレームと、
前記シートフレームに上端を連結してなる一対の脚フレームとを備える折り畳み椅子であって、
前記脚フレームは、折り畳み自在に中間を折畳ピンを介してＸ字状に連結してなる２本の脚ロッドを有し、
前記シートフレーム部は前記脚ロッドを特定の傾斜角（α）に停止するストッパを有し、
前記ストッパは、前記脚ロッドの上面を押圧して前記脚ロッドを特定の傾斜角（α）から倒れ方向の傾動を阻止するようにしてなることを特徴とする折り畳み椅子。
【請求項３】
請求項１または２に記載される折り畳み椅子であって、
前記前後の脚フレームを構成する脚ロッドの下端が前後方向にのびる水平ロッドで連結されてなることを特徴とする折り畳み椅子。
【請求項４】
請求項１ないし３のいずれかに記載される折り畳み椅子であって、
前記脚ロッド先端部の前後に位置する対向プレートと、
前記対向プレートと、前記対向プレートの間に挿入してなる前記脚ロッドの先端部を貫通して、前記脚ロッドを前記対向プレートに連結してなる連結ピンを有し、
前記対向プレートが前記ストッパと一体構造のストッパ連結具としてなることを特徴とする折り畳み椅子。
【請求項５】
請求項４に記載される折り畳み椅子であって、
前記肘フレームが、端部を挿入してなる補強パイプを備え、
前記補強パイプの補強部分に前記ストッパ連結具を連結してなることを特徴とする折り畳み椅子。
【請求項６】
請求項１に記載される折り畳み椅子であって、
前記肘フレームと前記シートフレームが、前記肘フレームと前記シートフレームを貫通する止めピンを介して連結されてなることを特徴とする折り畳み椅子。
【発明の詳細な説明】
【技術分野】
【０００１】
本発明は、帆布などのシートをしてなる折り畳み椅子に関し、とくに横幅を小さくする状態に折り畳みできる椅子に関する。
【背景技術】
【０００２】
座面シートと背もたれシートの両側をシートフレームに連結し、このシートフレームを肘フレームに連結して脚フレームをＸ字状に連結している２本の脚ロッドを折畳ピンで連結して、幅方向に薄くするように折り畳みできる椅子は開発されている。（特許文献１参照）
【先行技術文献】
【特許文献】
【０００３】
【特許文献１】特開２０１０−２６８９４６号公報
【発明の概要】
【発明が解決しようとする課題】
【０００４】
従来の折り畳み椅子は、図１６に示すように、座面シート２と背もたれシート３の両側をシートフレーム４に連結して、シートフレーム４を肘フレーム１に止めピンＳ３で連結している。肘フレーム１は、折り畳みできる脚フレーム５を前後に連結している。この折り畳み椅子は、シートの横幅が両側の肘フレーム１の間隔を特定する。ユーザーが座面シート２に座る状態で、座面シート２は幅方向にテンションが作用して、肘フレーム１が両側に広がるのを停止して、肘フレーム１の間隔を特定する。
【０００５】
以上の折り畳み椅子は、座面シート２のテンションで両側の肘フレーム１が広がるのを阻止するので、座面シート２が延びるに従って、肘フレーム１の間隔が広くなって、肘フレーム１の位置が次第に低くなる欠点がある。このため、座面シート２には長期間使用しても、とくに、重い体重のユーザーに長期間使用しても延びない強靭な特性が要求される。また、座面シート２に帆布などを使用して椅子を折り畳みできるようにしているので、座面シートには柔軟に変形する可撓性も要求される。さらに、座った状態において快適な感触を実現するために柔軟な特性も要求される。このことから、座面シートは、自由に変形できる柔軟な可撓性と、延びない強靭な特性が要求されるが、柔軟性と延びない強靭性とは互いに相反する特性であって、両方の特性を満足する帆布などのシートは製造コストが高くなる。また、強靭な帆布などを使用しても、経時的に発生する延びを皆無にすることは極めて難しく、使用するにしたがって、肘フレームの間隔が広がり、また肘フレームの位置が次第に低くなる欠点がある。
【０００６】
本発明は、以上の欠点を解決することを目的に開発されたものである。本発明の重要な目的は、柔軟で座り心地良い安価なシートを使用しながら、肘フレームの間隔が広がり、また肘フレームの位置が次第に低くなることのない折り畳み椅子を提供することにある。
また、本発明の他の大切な目的は、使用状態でシートを弛ませて座面シートをユーザーにフィットして快適に座ることができる折り畳み椅子を提供することにある。
【課題を解決するための手段及び発明の効果】
【０００７】
本発明の折り畳み椅子は、一対の肘フレーム１と、肘フレーム１の内側に連結されて、座面シート２の両側を連結している左右のシートフレーム４と、肘フレーム１の前後の端部に上端を連結してなる一対の脚フレーム５とを備える。脚フレーム５は、折畳ピンＳ１でもって中間をＸ字状に連結してなる２本の脚ロッド５Ａからなる。肘フレーム１は脚ロッド５Ａを特定の傾斜角（α）に停止するストッパ６を備える。ストッパ６は、脚ロッド５Ａの上面を押圧して脚ロッド５Ａを特定の傾斜角（α）から倒れ方向の傾動を阻止する。
【０００８】
以上の折り畳み椅子は、柔軟で座り心地良いシートを使用しながら、肘フレームの間隔の広がりと位置の低下を防止できる特徴がある。それは、以上の折り畳み椅子が、シートのテンションで肘フレームの位置を特定することなく、ストッパが脚ロッドの拡開を阻止して、肘フレームの位置を特定するからである。また、以上の折り畳み椅子は、使用状態で座面シートを弛み状態としてユーザーにフィットすることもできるので、ユーザーが快適に座ることができる特徴も実現する。それは、以上の折り畳み椅子が、肘フレームの横幅と高とをストッパを特定し、シートのテンションでは特定しないので、座面シートの横幅を肘フレームの間隔よりも広くして、シートを弛み状態で肘フレームを特定の間隔と高さに特定することもできるからである。
【０００９】
本発明の折り畳み椅子は、一対の肘フレーム１と、肘フレーム１内側に連結されて、座面シート２の両側を連結してなる一対のシートフレーム４と、シートフレーム４に上端を連結してなる前後の脚フレーム５とを備える。脚フレーム５は、折畳ピンＳ１を介してＸ字状に連結してなる２本の脚ロッド５Ａからなる。シートフレーム４は、脚ロッド５Ａを特定の傾斜角（α）に停止するストッパ６を有し、このストッパ６は、脚ロッド５Ａの上面を押圧して脚ロッド５Ａが特定の傾斜角（α）から倒れ方向の傾動を阻止する。
【００１０】
以上の折り畳み椅子は、柔軟で座り心地良いシートを使用しながら、肘フレームの間隔の広がりと位置の低下を防止できる特徴がある。それは、以上の折り畳み椅子が、シートのテンションで肘フレームの位置を特定することなく、ストッパが脚ロッドの拡開を阻止して、肘フレームの位置を特定するからである。また、以上の折り畳み椅子は、使用状態で座面シート２を弛み状態でユーザーにフィットできるので、ユーザーが快適に座ることができる特徴も実現する。それは、以上の折り畳み椅子が、肘フレームの横幅と高とをストッパを特定し、シートのテンションでは特定しないので、座面シートの横幅を肘フレームの間隔よりも広くして、シートを弛み状態で肘フレームを特定の間隔と高さに特定することもできるからである。
【００１１】
本発明のある態様にかかる折り畳み椅子は、前後の脚フレーム５を構成する脚ロッド５Ａの下端を、前後方向にのびる水平ロッド７で連結する形状とすることもできる。
【００１２】
本発明のある態様にかかる特徴とする折り畳み椅子は、脚ロッド５Ａ先端部の前後に対向プレート８を配置して、対向プレート８の間に脚ロッド５Ａの先端部を配置して、対向プレート８と脚ロッド５Ａ先端部の連結ピンＳ２を貫通して、脚ロッド５Ａを対向プレート８に連結する構造とし、さらに対向プレート８とストッパ６とを一体構造としてストッパ連結体９とすることができる。
【００１３】
本発明のある態様にかかる折り畳み椅子は、肘フレーム１の端部に補強パイプ１０を連結して、補強パイプ１０の補強部分に前記ストッパ連結体９を連結する構造とすることができる。
【００１４】
本発明のある態様にかかる折り畳み椅子は、補強パイプ１０にストッパ６と脚ロッド５Ａの連結部とを固定してなることを特徴とする折り畳み椅子。また、本発明のある態様にかかる折り畳み椅子は、肘フレーム１とシートフレーム４とを貫通する止めピンＳ３で連結することができる。
【図面の簡単な説明】
【００１５】
【図１】本発明の実施例にかかる折り畳み椅子の斜視図である。
【図２】図１に示す折り畳み椅子の側面図である。
【図３】図１に示す折り畳み椅子の正面図である。
【図４】図１に示す折り畳み椅子の分解斜視図である。
【図５】図１に示す折り畳み椅子のフレームのみを示す斜視図である。
【図６】図１に示す折り畳み椅子の肘フレームの先端部分を示す斜視図である。
【図７】図１に示す折り畳み椅子の肘フレームの先端部分を示す斜視図である。
【図８】図６に示す折り畳み椅子の座面シートを除く状態を示す斜視図である。
【図９】図１に示す折り畳み椅子にユーザーが座らない状態を示す斜視図である。
【図１０】図１に示す折り畳み椅子にユーザーが座る状態を示す斜視図である。
【図１１】図９に示す折り畳み椅子の片方の肘フレーム部分を示す正面図である。
【図１２】図１０に示す折り畳み椅子の片方の肘フレーム部分を示す正面図である。
【図１３】図１に示す折り畳み椅子の肘フレームのストッパ部分と止めピン部分とを示す正面図である。
【図１４】図１に示す折り畳み椅子の肘フレームのストッパ部分と止めピン部分とを示す斜視図である。
【図１５】本発明の他の実施例にかかる折り畳み椅子のフレームを示す斜視図である。
【図１６】従来の折り畳み椅子の斜視図である。
【発明を実施するための形態】
【００１６】
以下、本発明の実施例を図面に基づいて説明する。ただし、以下に示す実施例は、本発明の技術思想を具体化するための折り畳み椅子を例示するものであって、本発明は折り畳み椅子を以下のものに特定しない。
【００１７】
さらに、この明細書は、特許請求の範囲を理解しやすいように、実施例に示される部材に対応する番号を、「特許請求の範囲」および「課題を解決するための手段」の欄に示される部材に付記している。ただ、特許請求の範囲に示される部材を、実施例の部材に特定するものでは決してない。
【００１８】
図１の斜視図、図２の側面図、図３の正面図、図４の分解斜視図、図５のフレームのみを示す正面図に示す折り畳み椅子は、ユーザーが肘を載せる一対の肘フレーム１と、この肘フレーム１内側に連結されて、ユーザーが座る座面シート２の両側を連結している左右のシートフレーム４と、肘フレーム１の前後の端部に上端を連結している前後の脚フレーム５とを備える。
【００１９】
肘フレーム１は金属パイプで、座面シート２の両側にあって、座面シート２に座るユーザーが肘を載せる高さに配置される。図の肘フレーム１は、全体をほぼ水平姿勢として、前後に延びる棒状とし、両端部を水平姿勢として、中央部を上方に突出する湾曲形状としている。肘フレーム１は、両端部に補強パイプ１０を挿入して脚フレーム５の連結部を補強している。図の椅子は、肘フレーム１と脚フレーム５との連結位置Ｒを、肘フレーム１とシートフレーム４との固定位置Ｋよりも肘フレーム１の先端側に離して配置する。すなわち、前の連結位置Ｒは、前の固定位置Ｋよりも肘フレーム１の先端側に位置し、後ろの連結位置Ｒは後ろの固定位置Ｋよりも肘フレーム１の後端側に位置する。この構造の椅子は、脚フレーム５の前後方向の寸法を大きくして、ユーザーが座って姿勢を前後に移動する状態での安定性を向上できる。ただ、この構造の椅子は、ユーザーが座面シート２に座る状態で、肘フレーム１には連結位置Ｒと固定位置Ｋとの間でユーザーの体重による曲げモーメントが作用する。固定位置Ｋはユーザーの体重で下向きの力が作用し、連結位置Ｒは脚フレーム５に押し上げられて上向きの力が作用するからである。この曲げモーメントは肘フレーム１の端部を曲げる原因となる。肘フレーム１に補強パイプ１０を挿入する構造は、固定位置Ｋと連結位置Ｒに作用する曲げモーメントによる肘フレーム１の曲げを防止する。とくに、内側に補強パイプ１０を挿入する構造は、肘フレーム１全体の外径を同じとしながら、曲げモーメントが作用する部分を効率よく補強できる特徴がある。また、肘フレーム１の前後部分を補強して中央部を補強しないので肘フレーム１を軽くしながら端部が曲がるのを防止できる特徴がある。
【００２０】
図１と図４の椅子は、両側のシートフレーム４に、座面シート２と背もたれシート３とからなる可撓性のシートを連結している。シートは帆布、あるいは優れた通気性を実現するために、網状の編組された可撓性のシートである。座面シート２と背もたれシート３は、図１２と図１３の腰部拡大断面図に示すように、両側縁を折り返す状態で逢着して、シートフレーム４を挿入して連結できる構造としている。図１の斜視図と図４の分解斜視図に示す椅子は、座面シート２と背もたれシート３とを連続するシートして、両側縁をシートフレーム４に挿入して連結している。ただし、図示しないが、座面シートと背もたれシートとを連続しない２枚のシートとして、シートフレームに連結することもできる。シートフレーム４は、座面シート２を後ろに向かって僅かに下り勾配に傾斜する姿勢とし、背もたれシート３は内側に向かって僅かに湾曲する形状としている。
【００２１】
シートフレーム４は金属パイプで、肘フレーム１の内側にあって、肘フレーム１とシートフレーム４とを水平方向に貫通する止めピンＳ３を介して固定される。図の椅子は、シートフレーム４と肘フレーム１とを止めピンＳ３で固定するが、シートフレームと肘フレームは回転しない状態で固定されるので、両者を回転しない状態に固定できる他の全ての構造、たとえば、溶接し、あるいは紐材で結束して固定することもできる。
【００２２】
止めピンＳ３が、シートフレーム４と肘フレーム１とを固定する固定位置Ｋは、肘フレーム１の両端から内側に離れた位置にある。いいかえると、肘フレーム１は固定位置Ｋからさらに前後に突出する長さで、先端と後端に脚フレーム５を連結している。肘フレーム１を脚フレーム５に連結する連結位置Ｒと固定位置Ｋの間隔（Ｄ）は、２ｃｍ〜３０ｃｍ、好ましくは２ｃｍ〜２０ｃｍとする。図に示すように、後方に傾斜する背もたれシート３のある椅子は、とくにユーザーが後方に体重を移動する状態での安定性を高くするために、肘フレーム１の後方の固定位置Ｋと連結位置Ｒとの間隔（Ｄ１）は、前方の間隔（Ｄ２）よりも長くして背もたれシートに体重をかける状態で椅子の安定性を高くする。
【００２３】
脚フレーム５は金属パイプで、折り畳み自在できるように、中間を折畳ピンＳ１を介してＸ字状に連結している２本の脚ロッド５Ａからなる。脚ロッド５Ａは、上端を肘フレーム１に、下端を水平ロッド７に連結している。図の椅子は、前後の脚フレーム５の脚ロッド５Ａの下端を前後方向にのびる水平ロッド７で連結している。この構造は、１本の金属パイプをコ字状に折曲加工して、前後の脚フレーム５と水平ロッド７とを一体構造とする。椅子は、左右の肘フレーム１を互いに接近して折り畳みする。脚ロッド５Ａは、中央部を折畳ピンＳ１で連結して、上端を連結ピンＳ２を介して肘フレーム１に連結している。折畳ピンＳ１と連結ピンＳ２は、脚ロッド５Ａを垂直面内で回動できるように連結して、折り畳みできる構造としている。
【００２４】
肘フレーム１の連結位置Ｒには、図６に示すように、脚ロッド５Ａを連結する一対の対向プレート８を下面に固定している。対向プレート８は溶接して肘フレーム１の下面に固定される。対向プレート８は、垂直面内にあって、肘フレーム１の長手方向に直交する面内に配置される。また、一対の対向プレート８は、その間に脚ロッド５Ａを案内できるように、内幅を脚ロッド５Ａの外径よりも僅かに広くしている。脚ロッド５Ａは、その先端部を一対の対向プレート８の間に配置している。脚ロッド５Ａは、対向プレート８と脚ロッド５Ａとを水平方向に貫通する連結ピンＳ２を介して、垂直面内で回転できるように連結される。
【００２５】
さらに、折り畳み椅子は、図６に示すように、肘フレーム１に脚ロッド５Ａを特定の傾斜角（α）に停止するストッパ６を固定している。ストッパ６は、肘フレーム１と脚ロッド５Ａとの連結部に配置されて脚ロッド５Ａの上面を上から押圧する。脚ロッド５Ａは、上からストッパ６に押されて、特定の傾斜角（α）からさらに倒れ方向に傾動するのが阻止される。ストッパ６は、脚ロッド５Ａの長手方向に延びて、所定の長さで脚ロッド５Ａの上面を押圧する。ストッパ６を長くすることは、より安定に脚ロッド５Ａの倒れ方向の傾動を阻止することに効果がある。ただ、長すぎるストッパ６は、目立って椅子の外観を低下させる原因となる。したがって、脚ロッド５Ａに沿って延びるストッパ６の長さは、たとえば、１５ｃｍ以下、好ましくは１０ｃｍ以下、さらに好ましくは８ｃｍ以下とする。ただし、ストッパ６が短すぎると、脚ロッド５Ａを特定の傾斜角（α）から倒れ方向に傾動するのを安定して確実に阻止できなくなるので、ストッパ６の長さは、好ましくは３ｃｍ以上、より好ましくは４ｃｍ以上とする。
【００２６】
ストッパ６は、充分な強度を実現するために、たとえば厚さを３ｍｍ以上、好ましくは５ｍｍ以上とする金属片である。金属片のストッパ６は、肘フレーム１との連結部に向かって次第に厚くして、肘フレーム１との連結強度を強くしている。ストッパ６は、上端部を溶接して肘フレーム１に固定している。図６、図１３及び図１４の拡大斜視図に示すストッパ６は、その上端部において、両側を対向プレート８の側縁に、上端縁を肘フレーム１の下面に溶接している。図の拡大斜視図に示す脚フレーム５と肘フレーム１との連結部は、対向プレート８とストッパ６とを一体構造としてストッパ連結体９として肘フレームに連結している。
【００２７】
さらに、図１４のストッパ６は、上端部分を湾曲形状として、脚ロッド５Ａの上面に沿う形状としている。さらにまた、ストッパ６は、脚ロッド５Ａを面接触状態で押圧できるように、脚ロッド５Ａとの対向面である下面を、脚ロッド５Ａの金属パイプに沿うＵ字溝形としている。
【００２８】
ストッパ６は、脚ロッド５Ａが特定の傾斜角（α）に停止して、この傾斜角からさらに倒れ方向に傾動するのを停止する。ストッパ６が脚ロッド５Ａの傾動を停止する特定の傾斜角（α）、正確には水平面に対する傾斜角（α）は、図３の折り畳み椅子にあっては約３０度としている。傾斜角（α）は座面シート２の両端を連結しているシートフレーム４の高さ（ｈ）を特定する。ただし、シートフレーム４の高さ（ｈ）は、脚ロッド５Ａの長さ（Ｌ）と傾斜角（α）から以下の式で特定される。
ｈ＝Ｌｓｉｎα
【００２９】
傾斜角（α）と脚ロッド５Ａの長さ（Ｌ）がシートフレーム４の高さ（ｈ）を特定し、シートフレーム４の高さ（ｈ）が座面シート２の高さ（ｈ）を特定するので、傾斜角（α）は、脚ロッド５Ａの長さ（Ｌ）と要求されるシートフレーム４の高さ（ｈ）、すなわち座面シート２の高さ（ｈ）から最適角に設定される。
【００３０】
ストッパ６が脚ロッド５Ａの傾斜角を傾斜角（α）に停止する状態で、ユーザーが座面シート２に座らない状態では、図９の正面図に示すように、座面シート２はほぼ水平状態となる。この状態は、座面シート２と背もたれシート３の横幅を両側のシートフレーム４の間隔に等しくして実現できる。この椅子は、座面シート２にユーザーが座ると、図１０に示すように、座面シート２が体重で延びてユーザーにフィットする状態に変形する。体重を受ける座面シート２は、シートフレーム４を押し下げ、シートフレーム４は脚ロッド５Ａの上端を押し下げる。脚ロッド５Ａとの連結部が押し下げられる肘フレーム１は、矢印Ａで示す方向に傾動する力を受けるが、ストッパ６が脚ロッド５Ａの上面を矢印Ｂで示す方向に押圧して、脚ロッド５Ａの矢印Ａの方向の傾動を阻止する。ストッパ６で傾動が阻止される脚ロッド５Ａは、ユーザーの体重が作用する状態で、脚フレーム５を特定の傾斜角（α）に停止する。
【００３１】
以上の折り畳み椅子は、脚フレームを肘フレームに連結するが、脚フレームは肘フレームに連結することなくシートフレームに連結することもできる。図１５は、脚フレーム５をシートフレーム４に連結する折り畳み椅子を示す。この折り畳み椅子は、止めピンＳ３を介して肘フレーム１に連結しているシートフレーム４に脚フレーム５を連結するので、ストッパ６もシートフレーム４に設けて、脚ロッド５Ａを特定の傾斜角（α）に停止する。このストッパ６も、脚ロッド５Ａの上面を押圧して、脚フレーム５を特定の傾斜角（α）に停止する。
【産業上の利用可能性】
【００３２】
本発明は、幅方向に折り畳みできる椅子に使用有効に使用できる。
【符号の説明】
【００３３】
１…肘フレーム
２…座面シート
３…背もたれシート
４…シートフレーム
５…脚フレーム
５Ａ…脚ロッド
６…ストッパ
７…水平ロッド
８…対向プレート
９…ストッパ連結体
１０…補強パイプ
Ｓ１…折畳ピン
Ｓ２…連結ピン
Ｓ３…止めピン
Ｒ…連結位置
Ｋ…固定位置
【図１】
2018201831.tif 000003
【図２】
2018201831.tif 000004
【図３】
2018201831.tif 000005
【図４】
2018201831.tif 000006
【図５】
2018201831.tif 000007
【図６】
2018201831.tif 000008
【図７】
2018201831.tif 000009
【図８】
2018201831.tif 000010
【図９】
2018201831.tif 000011
【図１０】
2018201831.tif 000012
【図１１】
2018201831.tif 000013
【図１２】
2018201831.tif 000014
【図１３】
2018201831.tif 000015
【図１４】
2018201831.tif 000016
【図１５】
2018201831.tif 000017
【図１６】
2018201831.tif 000018